(57)【要約】【課題】ハンガーパイプが脱落してしまう危険性を極力防止し、さらに、支柱間に掛架されるハンガーパイプの位置変更が容易で、しかも、部品を紛失しないパイプソケットを提供する。【解決手段】上下多段にスリット５ａを設けた支柱５間に掛架されるハンガーパイプ４を支持してなるパイプソケット４において、前記ハンガーパイプ４が挿抜可能な筒状のパイプ支持部材２を設け、該パイプ支持部材２の外周下部にブラケット３を設けてなり、該ブラケット３の後端部に、前記スリット５ａに挿入される係止片３ａを突設してなる。【選択図】  図１
2011005109.tif 000002
【特許請求の範囲】
【請求項１】
上下多段にスリットを設けた支柱間に掛架されるハンガーパイプを支持してなるパイプソケットにおいて、前記ハンガーパイプが挿抜可能な筒状のパイプ支持部材を設け、該パイプ支持部材の外周下部にブラケットを設けてなり、該ブラケットの後端部に、前記スリットに挿入される係止片を突設してなることを特徴とするパイプソケット。
【請求項２】
上下多段にスリットを設けた支柱間に掛架されるハンガーパイプを支持してなるパイプソケットにおいて、前記ハンガーパイプが挿抜可能な筒状のパイプ支持部材を設け、該パイプ支持部材の外周下部及び上部に夫々ブラケットを設けてなり、該各ブラケットの後端部に、前記スリットに挿入される係止片を夫々突設してなることを特徴とするパイプソケット。
【請求項３】
前記パイプ支持部材の外周を合成樹脂等で形成される横揺れ防止部材で被覆してなり、該横揺れ防止部材の一側面上端部に前記支柱を嵌挿可能な平面視コ字状の切欠部を設けてなることを特徴とする請求項１又は２に記載のパイプソケット。
【請求項４】
前記係止片は、倒Ｌ字形に垂れ下がるフック形状の上面に凹部を設けてなることを特徴とする請求項１〜３のいずれかに記載のパイプソケット。
【発明の詳細な説明】
【技術分野】
【０００１】
本発明は、衣服ハンガー等を掛けるために用いられる金属又はプラスチック製のハンガーパイプの両端を支持すると共に、上下多段にスリットを設けた支柱への着脱を容易に行えるパイプソケットに関する。
【背景技術】
【０００２】
従来、この種のパイプソケットとしては、図６及び図７に示すものが知られている。この従来のパイプソケットを図６〜図９に基づいて説明すると、図６の（ａ）は、従来のパイプソケットを使用して、支柱間に掛架してなるハンガーパイプを支持した場合の斜視図、（ｂ）は（ａ）の縦断面図、図７は、従来のパイプソケットを使用して、支柱間に掛架してなるハンガーパイプを支持した場合の斜視図、図８は図７の分解斜視図、図９（ａ）〜（ｃ）は、パイプ固定部材を支柱に係止する際の説明図である。
【０００３】
図６に示すパイプソケット１００は、半割筒状体からなるパイプ支持部材１０１と、そのパイプ支持部材１０１の側端面に溶接等によって固着されてなるブラケット１０２とで構成されている。そして、パイプ支持部材１０１は、衣服ハンガー等を掛けるために用いられる金属又はプラスチック製で円筒状のハンガーパイプ４の端部を支持してなり、ブラケット１０２の後端部には、倒Ｌ字形に垂れ下がるフック形状の係止片１０２ａ，１０２ａが上下２段形成され、クローゼット等の側板に立設されてなるチャンネル鋼材やパイプ鋼材からなる支柱５に係止されてなる。
【０００４】
支柱５は、上記フック形状の係止片１０２ａ，１０２ａが挿抜される上下多段に設けられたスリット５ａと、これらスリット５ａから内部に挿入されるフック形状の係止片１０２ａ，１０２ａが上下移動可能な縦溝５ｂとを備えている。スリット５ａは、縦長の長孔に形成され、その縦幅は、上記フック形状の係止片１０２ａ，１０２ａの挿抜を容易にするために、フック形状の係止片１０２ａ，１０２ａの板厚よりも若干大きくしている。
【０００５】
このように構成された支柱５に、パイプソケット１００を係止するには、支柱５の起立方向に略直交する方向から上記フック形状の係止片１０２ａ，１０２ａをスリット５ａに挿入し、ブラケット１０２を鉛直下方向に下げることにより、図６（ｂ）に示すように、係止することができる。そして、パイプソケット１００を、同様に、図示は省略しているが、支柱５の対向位置に起立姿勢で配置されている支柱５にも係止させれば、ハンガーパイプ４をパイプソケット１００のパイプ支持部材１０１に載置させることにより、一対の支柱５間に、ハンガーパイプ４を掛架させることができる。
【０００６】
一方、図７に示すパイプソケット２００は、図８に示すように、ハンガーパイプ４より若干径大の円筒状からなり、パイプ固定部材２０１に固定するために、内周面端部に雌ねじ部が形成されてなる。
【０００７】
パイプ固定部材２０１は、図９に示すように、支柱５に当接してなる環状の座金２０２と、その座金２０２より若干小径で、上述の雌ねじ部に螺入可能な環状の雄ねじ部材２０３が、爪状部材２０４に遊嵌されて形成されてなる。爪状部材２０４は、略棒状の水平部２０４ａと、その水平部２０４ａの基端部に形成される爪部２０４ｂとで構成されてなり、上記水平部２０４ａには、外周上部及び下部に、座金２０２及び雄ねじ部材２０３が爪状部材２０４から簡単に脱落しないように、切欠溝を設けてなる。
【０００８】
このように構成されたパイプ固定部材２０１を支柱５に係止するには、図９（ａ）に示すように、支柱５の起立方向に対して斜め方向から爪部２０４ｂの上方突起部を上側に向けてスリット５ａの中に挿入し、爪部２０４をスリット５ａ内で回転させる。すると、図９（ｂ）に示すように、爪部２０４は、支柱５の内壁面と平行な位置関係となるから、爪部２０４を鉛直下方向に下げることにより、図９（ｃ）に示すように、パイプ固定部材２０１を支柱５に係止することができる。そして、パイプ固定部材２０１を支柱５に係止した後、図７に示すように、ハンガーパイプ４を差し込み挿入したパイプソケット２００を矢印方向に回転して、雄ねじ部材２０３に螺入させれば、図７に示すように、パイプソケット２００をパイプ固定部材２０１に固定させることができる。
【０００９】
しかして、図示は省略しているが、パンガーパイプ４の他端部に設けられているパイプソケット２００も同様に、支柱５の対向位置に起立姿勢で配置されている支柱５に係止されているパイプ固定部材２０１にパイプソケット２００を固定させれば、一対の支柱５間に、ハンガーパイプ４を掛架させることができる。
【００１０】
以上のように構成される、一対の支柱５間に掛架されてなるハンガーパイプ４を支持する従来のパイプソケット１００，２００には、以下の問題点があった。すなわち、パイプソケット１００は、支柱５間に掛架されてなるハンガーパイプ４を支持するにあたって、上述したように、半割筒状体からなるパイプ支持部材１０１にハンガーパイプ４の両端を載置させるのであるが、上記パイプ支持部材１０１は半割筒状体であり、ハンガーパイプ４の鉛直上方向への移動を規制することができない。そのため、ハンガーパイプ４に衝撃が加わると、パイプソケット１００からハンガーパイプ４が脱落してしまう危険性があるという問題があった。
【００１１】
一方、パイプソケット２００は、パイプソケット２００にハンガーパイプ４を挿抜し、支柱５間に掛架する又はしない場合、図７に示すように、一見しただけでは着脱方法が不明であるという問題があった。さらに、支柱５間に掛架するハンガーパイプ４の位置を変更しようとした場合、パイプソケット２００をパイプ固定部材２０１から取り外した上で、パイプ固定部材２０１を支柱５のスリット５ａから取り外し、さらに、図８及び図９に示すように、パイプ固定部材２０１を支柱５に係止した後、パイプソケット２００をパイプ固定部材２０１に取り付けなければならないため、作業が非常に煩雑になるという問題があった。しかも、部品点数が多いため、部品を紛失してしまうという問題もあった。
【発明の概要】
【発明が解決しようとする課題】
【００１２】
そこで、本発明は、上記の問題点に鑑み、ハンガーパイプが脱落してしまう危険性を極力防止し、さらに、支柱間に掛架されてなるハンガーパイプの位置変更が容易で、しかも、部品を紛失しないパイプソケットを提供することを目的とするものである。
【課題を解決するための手段】
【００１３】
上記課題を解決するための手段を、後述する実施形態の参照符号を付して説明すると、請求項１に係る発明のパイプソケットは、上下多段にスリット５ａを設けた支柱５間に掛架されるハンガーパイプ４を支持してなるパイプソケット４において、前記ハンガーパイプ４が挿抜可能な筒状のパイプ支持部材２を設け、該パイプ支持部材２の外周下部にブラケット３，２１を設けてなり、該ブラケット３，２１の後端部に、前記スリット５ａに挿入される係止片３ａ，２１ａを突設してなることを特徴とする。
【００１４】
請求項２に係るパイプソケットは、上下多段にスリット５ａを設けた支柱５間に掛架されるハンガーパイプ４を支持してなるパイプソケットにおいて、前記ハンガーパイプ４が挿抜可能な筒状のパイプ支持部材２を設け、該パイプ支持部材２の外周下部及び上部に夫々ブラケット１１，１１を設けてなり、該各ブラケット１１，１１の後端部に、前記スリット５ａに挿入される係止片１１ａ，１１ａを夫々突設してなることを特徴とする。
【００１５】
請求項３に係るパイプソケットは、請求項１又は２に記載のパイプソケットにおいて、前記パイプ支持部材２の外周を合成樹脂等で形成される横揺れ防止部材２２で被覆してなり、該横揺れ防止部材２２の一側面上端部に前記支柱５を嵌挿可能な平面視コ字状の切欠部２２ａを設けてなることを特徴とする。
【００１６】
請求項４に係るパイプソケットは、請求項１〜３のいずれかに記載のパイプソケットにおいて、前記係止片３ａ，１１ａ，２１ａは、倒Ｌ字形に垂れ下がるフック形状の上面に凹部３ｂを設けてなることを特徴とする。
【発明の効果】
【００１７】
請求項１に係る発明のハンガーパイプによれば、ハンガーパイプ４を挿抜可能な筒状のパイプ支持部材２を設けてなるから、ハンガーパイプの上下方向の移動が規制され、ハンガーパイプがパイプソケットから容易に脱落しないように支持することができる。
【００１８】
また、上述のパイプ支持部材２の外周下部にブラケット３，２１を設けてなるから、パイプ支持部材の自重でスリット内に挿入されている係止片が簡単に抜け落ちるということがないため、支柱間に掛架してなるハンガーパイプの両端を確実に支持することができる。
【００１９】
そして、ハンガーパイプ４を挿抜可能な円筒状のパイプ支持部材２の外周下部にブラケット３，２１を設け、そのブラケット３，２１の後端部に、スリット５ａに挿入される係止片３ａ，２１ａが形成されてなるから、ハンガーパイプとパイプソケットを一体的にして、持ち運び可能であるため、部品を紛失することがない。
【００２０】
さらに、支柱５間に掛架されてなるハンガーパイプ４の位置を変更する場合は、スリット５ａから係止片３ａ，２１ａを抜き出した後、ハンガーパイプ４を所望の位置に位置変更し、再び係止片３ａ，２１ａをスリット５ａに挿入しさえすればよいから、支柱間に掛架するハンガーパイプの位置変更を簡単容易に行うことができる。
【００２１】
請求項２に係る発明のハンガーパイプによれば、請求項１と同様の効果を得られると共に、パイプ支持部材２の外周上部及び下部に夫々ブラケット１１を設けているから、パイプソケットが支柱から脱落するのをより確実に防止することができる。
【００２２】
請求項３に係る発明のハンガーパイプによれば、パイプ支持部材２の外周を横揺れ防止部材２２で被覆し、その横揺れ防止部材２２に支柱５を嵌挿可能な切欠部２２ａを設けてなるから、支柱に係止してなるパイプソケットの横揺れを確実に防止することができる。
【００２３】
請求項４に係る発明のハンガーパイプによれば、倒Ｌ字形に垂れ下がるフック形状の係止片３ａの上面部に凹部３ｂを設けてなるから、係止片３ａの上方に突起３ｃが形成され、その突起３ｃを支柱の内側壁に当接するようにすれば、ハンガーパイプ４に誤って衝撃を与えてしまい、パイプソケットが鉛直上方に移動したとしても、支柱からパイプソケットが簡単に脱落するような事態を防止することができる。
【図面の簡単な説明】
【００２４】
【図１】（ａ）本発明の第１実施形態に係るパイプソケットを使用して、支柱間に掛架してなるハンガーパイプを支持した場合の斜視図、（ｂ）は縦断面図である。
【図２】本発明の第１実施形態に係るパイプソケットを使用して、支柱間に掛架してなるハンガーパイプを支持した場合の縦断面図である。
【図３】（ａ）〜（ｂ）は本発明の第１実施形態に係るパイプソケットを支柱に係止する際の説明図である。
【図４】（ａ）本発明の第２実施形態に係るパイプソケットを使用して、ハンガーパイプを支持した場合の斜視図、（ｂ）は側面図である。
【図５】（ａ）本発明の第３実施形態に係るパイプソケットを使用して、ハンガーパイプを支持した場合の斜視図、（ｂ）は側面図、（ｃ）は平面図である。
【図６】（ａ）従来のパイプソケットを使用して、支柱間に掛架してなるハンガーパイプを支持した場合の斜視図、（ｂ）は縦断面図である。
【図７】従来のパイプソケットを使用して、支柱間に掛架してなるハンガーパイプを支持した場合の斜視図である。
【図８】図７の分解斜視図である。
【図９】（ａ）〜（ｃ）は、パイプ固定部材を支柱に係止する際の説明図である。
【発明を実施するための形態】
【００２５】
＜第１実施形態＞
以下に本発明の第１実施形態を図面に基づいて説明すると、図１（ａ）は本発明の第１実施形態に係るパイプソケットを使用して、支柱間に掛架してなるハンガーパイプを支持した場合の斜視図、（ｂ）は（ａ）の縦断面図、図２は本発明の第１実施形態に係るパイプソケットを使用して、支柱間に掛架してなるハンガーパイプを支持した場合の縦断面図、図３（ａ）〜（ｂ）は、本発明の第１実施形態に係るパイプソケットを支柱に係止する際の説明図である。図１に示すように、パイプソケット１は、支柱５に係止され、支柱５間に掛架されてなるハンガーパイプ４の端部を支持してなる。
【００２６】
このようなパイプソケット１の構造及び支柱５への係止方法を、図１〜図３を用いて詳しく説明すると、パイプソケット１は、円筒状のハンガーパイプ４が挿抜可能なように、そのハンガーパイプ４より若干径大な円筒状のパイプ支持部材２を設け、そのパイプ支持部材２の外周下部にブラケット３を設けてなる。なお、パイプ支持部材２の外周下部にブラケット３を設ける方法は、ダイキャストや樹脂などを用いてパイプ支持部材２とブラケット３を一体形成して設けてもよいし、溶接等によって固着して設けてもよい。
【００２７】
ブラケット３は、その後端部に、上面部に凹部３ｂ，３ｂを設けた倒Ｌ字形に垂れ下がるフック形状の係止片３ａ，３ａが上下２段形成され、下段の係止片３ａの近傍に孔３ｄが設けられている。このようにフック形状の係止片３ａ，３ａの上面部に凹部３ｂ，３ｂを設けているのは、上面部に凹部３ｂを設けることにより係止片３ａの上方に突起３ｃが形成されるから、図２に示すように、ハンガーパイプ４に誤って衝撃を与えてしまい、パイプソケット１が鉛直上方に移動したとしても、係止片３ａの上方の突起３ｃが、支柱５の内側壁に当接するため、支柱５からパイプソケット１が簡単に脱落しないようにできるためである。
【００２８】
なお、上述の孔３ｄは、ハンガーパイプ１の塗装用の吊り孔である。また、本実施形態においては、フック形状の係止片を上下２段しか形成していないが、もちろんそれ以上形成してもよいし、また、１段だけ形成してもよい。ただし、フック形状の係止片は、上下２段以上形成した方が好ましい。さらに、また、本実施形態においては、上下２段の係止片３ａ，３ａに夫々凹部３ｂ，３ｂを設けたが、上段の係止片にのみ凹部を設けてもよい。
【００２９】
しかして、以上のように構成されたパイプソケット１を支柱５に係止するには、図３（ａ）に示すように、あらかじめハンガーパイプ４の端部をパイプ支持部材２に差し込み挿入しておき、ハンガーパイプ４の端部から支柱５の起立方向に略直交する方向に向かって、矢印方向にパイプソケット１を移動し、上記フック形状の係止片３ａ，３ａをスリット５ａ，５ａに挿入する。すると、図３（ｂ）に示すような状態となるから、ブラケット３を鉛直下方向に下げることにより、図１に示すように、パイプソケット１を支柱５に係止することができる。
【００３０】
そして、図示は省略しているが、パンガーパイプ４の他端部にも同様に、パイプソケット１を差し込み挿入しておき、支柱５の対向位置に起立姿勢で配置されている支柱５にパイプソケット１を係止させれば、一対の支柱５間に、ハンガーパイプ４を掛架させることができる。
【００３１】
以上説明した本発明の第１実施形態によれば、円筒状のハンガーパイプ４を挿抜可能な円筒状のパイプ支持部材２を設けてなるから、ハンガーパイプ４の上下方向の移動が規制され、ハンガーパイプ４が容易に脱落しないように支持することができる。
【００３２】
また、上述のパイプ支持部材２の外周下部にブラケット３を設けてなるから、パイプ支持部材２の自重でスリット５ａ内に挿入されている係止片３ａが、スリット５ａから簡単に抜け落ちることがないため、支柱５間に掛架されるハンガーパイプ４の両端を確実に支持することができる。
【００３３】
そして、ハンガーパイプ４を挿抜可能な円筒状のパイプ支持部材２の外周下部にブラケット３を設け、そのブラケット３の後端部に、スリット５ａに挿入される係止片３ａが形成されてなるから、ハンガーパイプとパイプソケットを一体的にして持ち運び可能であるため、部品を紛失することがない。
【００３４】
さらに、支柱５間におけるハンガーパイプ４の位置を変更する場合は、図２に示した手順と逆の手順を踏んでスリット５ａ，５ａから係止片３ａ，３ａを抜き出し、図２に示したように、係止片３ａ，３ａをスリット５ａ，５ａに挿入し直せばよいから、支柱５間に掛架されるハンガーパイプ４の位置変更を簡単容易に行うことができる。
【００３５】
＜第２実施形態＞
次に、本発明の第２実施形態を図４に基づいて説明すると、図４（ａ）は本発明の第２実施形態に係るパイプソケットを使用して、ハンガーパイプを支持した場合の斜視図、（ｂ）は側面図である。なお、第１実施形態と同一構成については、同一の符号を付し、説明は省略する。
【００３６】
パイプソケット１０は、円筒状のハンガーパイプ４が挿抜可能なように、そのハンガーパイプ４より若干径大な円筒状のパイプ支持部材２を設け、そのパイプ支持部材２の外周下部及び上部に夫々ブラケット１１が設けられてなる。この各ブラケット１１は、その後端部に、夫々倒Ｌ字形に垂れ下がるフック形状の係止片１１ａが形成され、近傍に孔３ｄが設けられている。なお、パイプ支持部材２の外周下部及び上部に夫々ブラケット１１を設ける方法は、ダイキャストや樹脂などを用いてパイプ支持部材２とブラケット１１，１１を一体形成して設けてもよいし、溶接等によって固着して設けてもよい。また、このように構成されたパイプソケット１０の支柱５への係止方法は、第１実施形態と同様であるため、説明は省略する。
【００３７】
以上説明した本発明の第２実施形態によれば、パイプ支持部材２の外周上部及び下部に夫々ブラケット１１を設けているから、パイプソケット１０が支柱５から脱落するのをより確実に防止することができる。
【００３８】
なお、本実施形態においては、フック形状の係止片１１ａに凹部を設けていないが、もちろん設けてもよい。また、フック形状の係止片を１段しか形成していないが、もちろんそれ以上形成してもよい。
【００３９】
＜第３実施形態＞
次に、本発明の第３実施形態を図５に基づいて説明すると、図５（ａ）は本発明の第３実施形態に係るパイプソケットを使用して、ハンガーパイプを支持した場合の斜視図、（ｂ）は側面図、（ｃ）は平面図である。なお、第１実施形態と同一構成については、同一の符号を付し、説明は省略する。
【００４０】
パイプソケット２０は、円筒状のハンガーパイプ４が挿抜可能なように、そのハンガーパイプ４より若干径大な円筒状のパイプ支持部材２を設け、そのパイプ支持部材２の外周下部にブラケット２１が設けられてなり、そのブラケット２１の後端部に、倒Ｌ字形に垂れ下がるフック形状の係止片２１ａ，２１ａが上下２段形成され、下段の係止片２１ａの近傍に孔３ｄが設けられている。そして、パイプ支持部材２の外周には、合成樹脂製の横揺れ防止部材２２が被覆されている。なお、パイプ支持部材２の外周下部にブラケット２１を設ける方法は、ダイキャストや樹脂などを用いてパイプ支持部材２とブラケット２１を一体形成して設けてもよいし、溶接等によって固着して設けてもよい。
【００４１】
横揺れ防止部材２２は、図５（ａ），（ｃ）に示すように、一側面上端部に平面視コ字状の切欠部２２ａを設けてなり、その切欠部２２ａは、支柱５を嵌挿可能なように、支柱５の横幅よりも若干幅広に形成されてなる。そのため、図５（ｂ）に示すように、フック形状の係止片２１ａ，２１ａをスリット５ａ，５ａに挿入すれば、図５（ｃ）に示すように、切欠部２２ａに支柱５を嵌挿することができる。なお、本実施形態に係るパイプソケット２０を係止する支柱５の横幅としては８ｍｍ程度のものが好ましい。
【００４２】
以上説明した本発明の第３実施形態によれば、パイプ支持部材２の外周を横揺れ防止部材２２で被覆し、その横揺れ防止部材２２に支柱５を嵌挿可能な切欠部２２ａを設けてなるから、支柱に係止してなるパイプソケットの横揺れを確実に防止することができる。
【００４３】
なお、本実施形態においては、フック形状の係止片２１ａに凹部を設けていないが、もちろん設けてもよい。また、フック形状の係止片を上下２段しか形成していないが、もちろんそれ以上形成してもよい。さらに、本実施形態において、横揺れ防止部材２２として、合成樹脂製のものを用いたが、それ以外のものを用いてもよい。
【００４４】
また、上記第１実施形態〜第３実施形態において、パイプ支持部材は、円筒状のハンガーパイプを用いて説明したため、円筒状の形状を用いて説明したが、この形状に限定されるものではない。すなわち、角筒状のハンガーパイプを用いた場合は、パイプ支持部材も角筒状となるように、ハンガーパイプの形状に合わせて、パイプ支持部材の形状は適宜設計変更することが可能である。
【符号の説明】
【００４５】
１，１０，２０          パイプソケット
２                      パイプ支持部材
３，１１，２１          ブラケット
３ａ，１１ａ，２１ａ    係止片
３ｂ                    凹部
３ｃ                    突起
４                      ハンガーパイプ
５                      支柱
５ａ                    スリット
２２                    横揺れ防止部材
２２ａ                  切欠部
【図１】
2011005109.tif 000003
【図２】
2011005109.tif 000004
【図３】
2011005109.tif 000005
【図４】
2011005109.tif 000006
【図５】
2011005109.tif 000007
【図６】
2011005109.tif 000008
【図７】
2011005109.tif 000009
【図８】
2011005109.tif 000010
【図９】
2011005109.tif 000011